(57)【要約】      （修正有）【課題】複数の物品を隔離して収容することができると共に、物品の数量に対するシート材の使用量を削減することができる包装体の提供。【解決手段】シート材を用いて形成されると共に、第一シート部１と、該第一シート部の一方の面側に配置される第二シート部２と、第一シート部の他方の面側に配置される第三シート部３とを備えており、第二シート部は、凹状に形成されて物品を収容する空間を形成する第二シート収容部２ａを備えており、第三シート部は、凹状に形成されて物品を収容する空間を形成する第三シート収容部３ａを備えており、第一シート部は、第二シート部と第三シート部との間に配置されて第二シート収容部及び第三シート収容部を閉塞する第一シート閉塞部１ａを備える。【選択図】図１
2020132232.tif 000002
【特許請求の範囲】
【請求項１】
シート材を用いて形成されると共に、第一シート部と、該第一シート部の一方の面側に配置される第二シート部と、第一シート部の他方の面側に配置される第三シート部とを備えており、
第二シート部は、凹状に形成されて物品を収容する空間を形成する第二シート収容部を備えており、
第三シート部は、凹状に形成されて物品を収容する空間を形成する第三シート収容部を備えており、
第一シート部は、第二シート部と第三シート部との間に配置されて第二シート収容部及び第三シート収容部を閉塞する第一シート閉塞部を備える包装体。
【請求項２】
第二シート収容部と第三シート収容部とは、第一シート部を介して重なり合うように配置される請求項１に記載の包装体。
【請求項３】
第二シート部は、第二シート収容部を一方向に間隔を空けて複数備えており、
第三シート部は、第三シート収容部を前記一方向に間隔を空けて複数備える請求項１又は２に記載の包装体。
【請求項４】
第二シート部は、第二シート収容部の外側に形成されて該第二シート収容部の深さ方向に対して交差する方向に第二シート収容部から延出する第二シートフランジ部を備えており、
第三シート部は、第三シート収容部の外側に形成されて該第三シート収容部の深さ方向に対して交差する方向に第三シート収容部から延出する第三シートフランジ部を備えており、
第二シートフランジ部、及び、第三シートフランジ部と、第一シート部とが分離可能に連結される請求項１乃至３の何れか一項に記載の包装体。
【発明の詳細な説明】
【技術分野】
【０００１】
本発明は、物品を収容する包装体に関する。
【背景技術】
【０００２】
従来から、シート材を用いて形成された包装体が用いられている。具体的には、斯かる包装体は、第一シート部と、該第一シート部の一方の面側に配置される第二シート部とを備え、第一シート部と第二シート部との間に物品が収容されるように構成されている（特許文献１参照）。斯かる包装体では、第二シート部は、凹状に形成されて物品を収容する収容部を備える。そして、収容部に物品が収容された状態で、第一シート部が収容部を閉塞するように第一シート部と第二シート部とが積層される。
【０００３】
上記のような包装体から物品を取り出す際には、第一シート部と第二シート部とを分離して収容部を開放することで、該収容部から物品が取り出される。
【先行技術文献】
【特許文献】
【０００４】
【特許文献１】特開２０１６−０２０２３３号公報
【発明の概要】
【発明が解決しようとする課題】
【０００５】
しかしながら、上記のような包装体では、収容部が一つであるため、複数の物品を隔離して収容することができない。このため、複数の物品を隔離した状態で纏める際には、各物品を収容した包装体を複数準備し、包装体同士をラベル等で連結する必要がある。
【０００６】
ところで、近年、自然環境への配慮や資源の削減等を目的として、少ない資材で多くの物品を収容することが要求されているところ、上記のような包装体では、各包装体から物品を取り出した際には、一つの物品に対して第一シート部及び第二シート部を構成する２つのシート材が廃棄されることになる。このため、一つの物品に対して廃棄されるシート材の量を削減することが要求されている。
【０００７】
そこで、本発明は、複数の物品を隔離して収容することができると共に、物品の数量に対するシート材の使用量を削減することができる包装体を提供することを課題とする。
【課題を解決するための手段】
【０００８】
本発明に係る包装体は、シート材を用いて形成されると共に、第一シート部と、該第一シート部の一方の面側に配置される第二シート部と、第一シート部の他方の面側に配置される第三シート部とを備えており、第二シート部は、凹状に形成されて物品を収容する空間を形成する第二シート収容部を備えており、第三シート部は、凹状に形成されて物品を収容する空間を形成する第三シート収容部を備えており、第一シート部は、第二シート部と第三シート部との間に配置されて第二シート収容部及び第三シート収容部を閉塞する第一シート閉塞部を備える。
【０００９】
斯かる構成によれば、第二シート部と第三シート部との間に第一シート部が配置される。そして、第一シート部が備える第一シート閉塞部によって第二シート収容部と第三シート収容部とが閉塞される。これにより、第二シート収容部と第三シート収容部とに物品を隔離して収容することができる。また、一つの包装体で複数の物品を包装することができるため、物品毎に包装体を形成する場合よりも、物品の数量に対するシート材の使用量を削減することができる。
【００１０】
第二シート収容部と第三シート収容部とは、第一シート部を介して重なり合うように配置されることが好ましい。
【００１１】
斯かる構成によれば、第二シート収容部と第三シート収容部とが第一シート部を介して重なり合うことで、重なり合う位置では、第二シート収容部を閉塞する第一シート閉塞部と、第三シート収容部を閉塞する第一シート閉塞部とが重複する。このため、第二シート収容部を閉塞する第一シート閉塞部と、第三シート収容部を閉塞する第一シート閉塞部とが別々に存在する場合よりも第一シート部を構成するシート材を削減することができる。
【００１２】
第二シート部は、第二シート収容部を一方向に間隔を空けて複数備えており、第三シート部は、第三シート収容部を前記一方向に間隔を空けて複数備えることが好ましい。
【００１３】
斯かる構成によれば、第二シート部は、第二シート収容部を一方向に間隔を空けて複数備えるため、第一シート部と第二シート部との間に複数の物品を収容することができる。また、第三シート部は、第三シート収容部を前記一方向に間隔を空けて複数備えるため、第一シート部と第三シート部との間に複数の物品を収容することができる。このため、一つの包装体でより多くの物品を包装することができる。
【００１４】
第二シート部は、第二シート収容部の外側に形成されて該第二シート収容部の深さ方向に対して交差する方向に第二シート収容部から延出する第二シートフランジ部を備えており、第三シート部は、第三シート収容部の外側に形成されて該第三シート収容部の深さ方向に対して交差する方向に第三シート収容部から延出する第三シートフランジ部を備えており、第二シートフランジ部、及び、第三シートフランジ部と、第一シート部とが分離可能に連結されることが好ましい。
【００１５】
斯かる構成によれば、第二シートフランジ部、及び、第三シートフランジ部と、第一シート部とが分離可能に連結される。これにより、包装体から物品を取り出す際には、第二シートフランジ部（又は、第三シートフランジ部）から第一シート部を分離して第二シート収容部（又は、第三シート収容部）を開放することができる。このため、包装体からの物品の取り出しを容易に行うことができる。
【発明の効果】
【００１６】
以上のように、本発明によれば、複数の物品を隔離して収容することができると共に、物品の数量に対するシート材の使用量を削減することができる。
【図面の簡単な説明】
【００１７】
【図１】本発明の一実施形態に係る包装体の概略を示した断面図。
【図２】（ａ）は、同実施形態に係る包装体を構成する第一シート部を厚み方向から見た平面図、（ｂ）は、（ａ）のＩ−Ｉ断面図。
【図３】（ａ）は、同実施形態に係る包装体を構成する第二シート部を厚み方向から見た平面図、（ｂ）は、（ａ）のＩ−Ｉ断面図。
【図４】（ａ）は、同実施形態に係る包装体を構成する第三シート部を厚み方向から見た平面図、（ｂ）は、（ａ）のＩ−Ｉ断面図。
【図５】本発明の他の実施形態に係る包装体の概略を示した断面図。
【図６】本発明の他の実施形態に係る包装体の概略を示した断面図。
【発明を実施するための形態】
【００１８】
以下に、本発明の一実施形態に係る包装体１０について、図１を参照しつつ説明する。なお、以下の図面において同一又は相当する部分には同一の参照符号を付しその説明は繰り返さない。
【００１９】
包装体１０は、図１に示すように、複数の物品Ｘ１，Ｘ２を収容するものである。具体的には、包装体１０は、第一シート部１と、該第一シート部１の一方の面側に配置される第二シート部２と、第一シート部１の他方の面側に配置される第三シート部３とを備える。そして、第一シート部１と第二シート部２との間に物品Ｘ１が収容されると共に、第一シート部１と第三シート部３との間に物品Ｘ２が収容される。
【００２０】
包装体１０は、シート材（本実施形態では、分離した複数のシート材）を用いて形成される。具体的には、包装体１０は、分離した複数のシート材のそれぞれによって第一シート部１、第二シート部２、及び、第三シート部３が形成される。第一シート部１、第二シート部２、及び、第三シート部３を構成するシート材としては、同じ性状のものであってもよく、異なる性状のものであってもよい。また、斯かるシート材としては、特に限定されるものではなく、例えば、紙製や樹脂製のものを用いることができる。樹脂製のシートとしては、例えば、ポリエチレンやポリプロピレンのポリオレフィン等の樹脂シートを用いることができる。また、各シート材は、例えば、一枚のシート材から形成されたものであってもよく、複数のシート材（例えば、複数のシート材の端部同士）が連結されることで形成されたものであってもよく、複数のシート材が積層されて形成されたものであってもよく、他の部材（例えば、フィルム片等）を備えるように構成されてもよい。
【００２１】
第一シート部１は、図１，２に示すように、略平らな状態で第二シート部２と第三シート部３との間に配置される。また、第一シート部１は、一方向が長手となるように形成される。また、第一シート部１は、後述する第二シート収容部２ａ、及び、後述する第三シート収容部３ａを閉塞する第一シート閉塞部１ａを備える。また、第一シート部１は、後述する第二シートフランジ部２ｂ、及び、後述する第三シートフランジ部３ｂと連結される。具体的には、第一シート部１は、後述する第二シートフランジ部２ｂ、及び、後述する第三シートフランジ部３ｂと連結される第一シート連結部１ｂを備える。
【００２２】
第一シート閉塞部１ａは、第一シート部１に複数（具体的には、長手方向に間隔を空けて複数）形成される。第一シート連結部１ｂは、第一シート部１における各第一シート閉塞部１ａ以外の部分（具体的には、第一シート閉塞部１ａの周囲の領域）によって形成される。
【００２３】
第二シート部２は、図１，３に示すように、一方向が長手となるように形成される。また、第二シート部２は、凹状に形成されて物品Ｘ１を収容する空間を形成する第二シート収容部２ａを備える。また、第二シート部２は、第二シート収容部２ａの外側に形成されると共に、第二シート収容部２ａの深さ方向に対して交差する方向へ第二シート収容部２ａから延出する第二シートフランジ部２ｂを備える。
【００２４】
第二シート収容部２ａは、物品Ｘ１の形状に沿って形成されてもよく、物品Ｘ１の形状とは別の形状に形成されてもよい。第二シート収容部２ａは、第二シート部２に複数（具体的には、長手方向に間隔を空けて複数）形成される。第二シート収容部２ａの深さＬ１としては、特に限定されるものではなく、例えば、１ｍｍ以上６０ｍｍ以下であることが好ましい。第二シートフランジ部２ｂは、第二シート部２における各第二シート収容部２ａ以外の部分（具体的には、第二シート収容部２ａの周囲の領域）によって形成される。
【００２５】
第三シート部３は、図１，４に示すように、一方向が長手となるように形成される。また、第三シート部３は、凹状に形成されて物品Ｘ２を収容する空間を形成する第三シート収容部３ａを備える。また、第三シート部３は、第三シート収容部３ａの外側に形成されると共に、第三シート収容部３ａの深さ方向に対して交差する方向へ第三シート収容部３ａから延出する第三シートフランジ部３ｂを備える。
【００２６】
第三シート収容部３ａは、物品Ｘ２の形状に沿って形成されてもよく、物品Ｘ２の形状とは別の形状に形成されてもよい。第三シート収容部３ａは、第三シート部３に複数（具体的には、長手方向に間隔を空けて複数）形成される。第三シート収容部３ａの深さＬ２としては、特に限定されるものではなく、例えば、１ｍｍ以上６０ｍｍ以下であることが好ましい。第三シートフランジ部３ｂは、第三シート部３における各第三シート収容部３ａ以外の部分（具体的には、第三シート収容部３ａの周囲の領域）によって形成される。
【００２７】
図１に戻り、上記のように構成される包装体１０は、第二シート収容部２ａと第三シート収容部３ａとが第一シート閉塞部１ａを介して重なり合うように配置される（具体的には、第二シート収容部２ａと第三シート収容部３ａとが対応する位置に配置される）。また、包装体１０は、第二シートフランジ部２ｂ、及び、第三シートフランジ部３ｂと、第一シート連結部１ｂとが分離可能に連結される。第二シートフランジ部２ｂ、及び、第三シートフランジ部３ｂと、第一シート連結部１ｂとを分離可能に連結する方法としては、特に限定されるものではなく、例えば、第一シート部（又は、第二シート部、及び、第三シート部）をイージーピール性のシート材で形成する方法が挙げられる。
【００２８】
包装体１０を開封する際には、第二シートフランジ部２ｂ、及び、第三シートフランジ部３ｂを第一シート連結部１ｂから分離することで、第一シート閉塞部１ａを第二シート収容部２ａ、及び、第三シート収容部３ａから分離し、第二シート収容部２ａ、及び、第三シート収容部３ａを開放する。これにより、第二シート収容部２ａ、及び、第三シート収容部３ａに収容された物品Ｘ１，Ｘ２が取り出すことができる。
【００２９】
以上のように、本発明に係る包装体によれば、複数の物品を隔離して収容することができると共に、物品の数量に対するシート材の使用量を削減することができる。
【００３０】
即ち、第二シート部２と第三シート部３との間に第一シート部１が配置される。そして、第一シート部１が備える第一シート閉塞部１ａによって第二シート収容部２ａと第三シート収容部３ａとが閉塞される。これにより、第二シート収容部２ａと第三シート収容部３ａとに物品Ｘ１，Ｘ２を隔離して収容することができる。また、一つの包装体１０で複数の物品Ｘ１，Ｘ２を包装することができるため、物品Ｘ１，Ｘ２毎に包装体１０を形成する場合よりも、物品Ｘ１，Ｘ２の数量に対するシート材の使用量を削減することができる。
【００３１】
また、第二シート収容部２ａと第三シート収容部３ａとが第一シート部１を介して重なり合うことで、重なり合う位置では、第二シート収容部２ａを閉塞する第一シート閉塞部１ａと、第三シート収容部３ａを閉塞する第一シート閉塞部１ａとが重複する。このため、第二シート収容部２ａを閉塞する第一シート閉塞部１ａと、第三シート収容部３ａを閉塞する第一シート閉塞部１ａとが別々に存在する場合よりも第一シート部１を構成するシート材を削減することができる。
【００３２】
また、第二シート部２は、第二シート収容部２ａを一方向に間隔を空けて複数備えるため、第一シート部１と第二シート部２との間に複数の物品Ｘ１を収容することができる。また、第三シート部３は、第三シート収容部３ａを前記一方向に間隔を空けて複数備えるため、第一シート部１と第三シート部３との間に複数の物品Ｘ２を収容することができる。このため、一つの包装体１０でより多くの物品を包装することができる。
【００３３】
また、第二シートフランジ部２ｂ、及び、第三シートフランジ部３ｂと、第一シート部１とが分離可能に連結される。これにより、包装体１０から物品Ｘ１（又は、物品Ｘ２）を取り出す際には、第二シートフランジ部２ｂ（又は、第三シートフランジ部３ｂ）から第一シート部１を分離して第二シート収容部２ａ（又は、第三シート収容部３ａ）を開放することができる。このため、包装体１０からの物品の取り出しを容易に行うことができる。
【００３４】
なお、本発明に係る包装体は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記の各種の変更例に係る構成や方法等を任意に選択して、上記の実施形態に係る構成や方法等に採用してもよいことは勿論である。
【００３５】
例えば、上記実施形態では、第二シート収容部２ａと第三シート収容部３ａとは、第一シート部１を介して対応する位置に配置されているが、これに限定されるものではなく、例えば、図５に示すように、第二シート収容部２ａと第三シート収容部３ａとが第一シート部１を介して部分的に重なり合うように構成されてもよく、図６に示すように、重なり合わないように構成されてもよい。
【００３６】
また、上記実施形態では、第一シート連結部１ｂは、第一シート部１における第一シート閉塞部１ａ以外の部分によって形成されているが、これに限定されるものではなく、例えば、図５に示すように、第一シート閉塞部１ａの一部が第一シート連結部１ｂを構成してもよく、図６に示すように、第一シート閉塞部１ａの略全体が第一シート連結部１ｂの少なくとも一部（具体的には、略全体）を構成してもよい。
【００３７】
また、上記実施形態では、第二シート部２は、第二シート収容部２ａを複数備えるように構成されているが、これに限定されるものではなく、例えば、第二シート収容部２ａを一つのみ備えるように構成されてもよい。また、上記実施形態では、第三シート部３は、第三シート収容部３ａを複数備えるように構成されているが、これに限定されるものではなく、例えば、第三シート収容部３ａを一つのみ備えるように構成されてもよい。
【００３８】
また、上記実施形態では、第二シート部２は、第二シート収容部２ａを前記一方向（上記実施形態では、長手方向）に間隔を空けて複数備えるように構成されているが、これに限定されるものではなく、例えば、前記一方向に交差する他方向に間隔を空けて複数備えるように構成してもよく、前記一方向及び前記他方向に間隔を空けて複数備えるように構成してもよい。
【００３９】
また、上記実施形態では、第三シート部３は、第三シート収容部３ａを前記一方向（上記実施形態では、長手方向）に間隔を空けて複数備えるように構成されているが、これに限定されるものではなく、例えば、前記他方向に間隔を空けて複数備えるように構成してもよく、前記一方向及び前記他方向に間隔を空けて複数備えるように構成してもよい。
【００４０】
また、上記実施形態では、第二シートフランジ部２ｂ、及び、第三シートフランジ部３ｂを第一シート部１（具体的には、第一シート連結部１ｂ）から分離することで、包装体１０が開封されるように構成されているが、これに限定されるものではなく、例えば、包装体１０を切断することで、第二シート収容部２ａ、及び、第三シート収容部３ａが開放されるように構成されてもよい。
【００４１】
また、上記実施形態では、第二シートフランジ部２ｂ、及び、第三シートフランジ部３ｂと第一シート連結部１ｂとが分離可能に構成されているが、これに限定されるものではなく、例えば、第二シートフランジ部２ｂ、及び、第三シートフランジ部３ｂの少なくとも一方と第一シート部１（具体的には、第一シート連結部１ｂ）とが分離できないように構成されてもよい。斯かる場合には、包装体１０を切断することで、第二シート収容部２ａ、及び、第三シート収容部３ａが開放されるように構成されてもよい。
【符号の説明】
【００４２】
１…第一シート部、１ａ…第一シート閉塞部、１ｂ…第一シート連結部、２…第二シート部、２ａ…第二シート収容部、２ｂ…第二シートフランジ部、３…第三シート部、３ａ…第三シート収容部、３ｂ…第三シートフランジ部、１０…包装体、Ｘ１，Ｘ２…物品
【図１】
2020132232.tif 000003
【図２】
2020132232.tif 000004
【図３】
2020132232.tif 000005
【図４】
2020132232.tif 000006
【図５】
2020132232.tif 000007
【図６】
2020132232.tif 000008